(57)【要約】【課題】  アラーム鳴動の解除操作といった面倒な操作を使用者が必要とせず、更にアラームの鳴動時刻となった旨を使用者に確実に報知可能な通信装置を提供する。【解決手段】  予め設定した時刻になると自動的にアラームを鳴動させることが可能な通信装置であり、アラームの鳴動を行うアラーム鳴動手段と、制御手段と、を有し、制御手段は、特定の動作を実行している際にアラームの鳴動時刻になったと判定すると、アラーム鳴動手段によるアラームの鳴動を禁止し、特定の動作が終了したと判定した際に、アラーム鳴動手段によりアラームの鳴動を禁止した状態を維持していることを特徴とする。【選択図】  図３
2011091526.tif 000002
【特許請求の範囲】
【請求項１】
予め設定した時刻になると自動的にアラームを鳴動させることが可能な通信装置であり、
通信装置が特定の動作中にアラームの鳴動時刻になるとアラームの鳴動を禁止し、前記特定の動作が終了するとアラームの鳴動を禁止した状態となっていることを特徴とする通信装置。
【請求項２】
予め設定した時刻になると自動的にアラームを鳴動させることが可能な通信装置であり、
通信装置が特定の動作中にアラームの鳴動時刻になるとアラームの鳴動を禁止し、前記特定の動作が終了するとアラームの鳴動設定がオフの状態となっていることを特徴とする通信装置。
【請求項３】
請求項１又は２に記載の通信装置であり、前記特定の動作が終了すると、前記特定の動作を実行していた際にアラームの鳴動時刻になった旨を表示により報知することを特徴とする通信装置。
【請求項４】
予め設定した時刻になると自動的にアラームを鳴動させることが可能な通信装置であり、
アラームの鳴動を行うアラーム鳴動手段と、制御手段と、を有し、
前記制御手段は、特定の動作を実行している際にアラームの鳴動時刻になったと判定すると、前記アラーム鳴動手段によるアラームの鳴動を禁止し、前記特定の動作が終了したと判定した際に、前記アラーム鳴動手段によりアラームの鳴動を禁止した状態を維持していることを特徴とする通信装置。
【請求項５】
予め設定した時刻になると自動的にアラームを鳴動させることが可能な通信装置であり、
アラームの鳴動を行うアラーム鳴動手段と、制御手段と、を有し、
前記制御手段は、特定の動作を実行している際にアラームの鳴動時刻になったと判定すると、前記アラーム鳴動手段によるアラームの鳴動を禁止し、前記特定の動作が終了したと判定した際に、前記アラーム鳴動手段によるアラーム鳴動の設定を解除するように制御することを特徴とする通信装置。
【請求項６】
請求項４又は５に記載の通信装置であり、
更に表示手段を有し、前記制御手段は、前記特定の動作が終了したと判定すると、前記特定の動作を実行していた際にアラームの鳴動時刻になった旨を表示するように前記表示手段を制御することを特徴とする通信装置。
【発明の詳細な説明】
【技術分野】
【０００１】
本発明はアラーム機能を有する通信装置に関する。
【背景技術】
【０００２】
近年の携帯電話等の通信装置には、アラーム機能が搭載されている。このアラーム機能とは、使用者がアラームを鳴動する時刻を設定した後に、その設定した時刻になると自動的にアラームを鳴動するというものである。
【０００３】
使用者は、このアラーム機能を使用することにより、携帯電話を目覚まし時計代わりに活用したり、ミーティング等のスケジュールが開始されることを知るといった事に活用することができる。
【０００４】
又、実際に市場に出ている現在の携帯電話の中には、使用者がインターネットを使用している際にアラームの鳴動時刻になると、アラームが鳴動せず、インターネットの使用が終了するとアラームを自動的に鳴動開始する機種もある。
【０００５】
また、このようなアラーム機能に関する特許も数多く提案されており、例えば特許文献１には、アラーム動作中に着信があるとアラームの鳴動を一旦停止し、通話状態に入り、通話が終了するとアラームの鳴動を再開する技術が開示されている。
【先行技術文献】
【特許文献】
【０００６】
【特許文献１】特開２００５−１２４２１８号公報
【発明の概要】
【発明が解決しようとする課題】
【０００７】
しかしながら、上記従来の携帯電話や特許文献１に記載の技術では、通話といった動作が終了した後にアラームの鳴動が行われても、そのアラームの鳴動自体が意味をなさない場合がある。例えば、使用者がアラームを目覚まし時計代わりに使用した場合には、使用者が携帯電話を使用している、即ち起きているのにもかかわらずアラームが鳴動されることになり、そのアラームの鳴動自体が意味をなさないものとなる。
【０００８】
また、使用者にとってアラームの鳴動の必要がなくなったのにも関わらず、使用者が通話終了後にアラームの鳴動停止操作、或いはアラームの設定解除操作を行うのは非常に面倒である。
【０００９】
しかしながら、使用者がアラームを目覚まし時計ではなく、ミーティング等のスケジュール報知の為に使用していたのであれば、アラームの鳴動時刻になった旨を使用者に報知する必要がある。
【課題を解決するための手段】
【００１０】
本発明はこのような課題を解決するためのものであり、使用者が通信装置を使用（例えば、通話やインターネット操作等）した後に、使用者にアラーム鳴動の停止操作或いはアラーム設定の解除操作を行う不便さを解消すると共に、ユーザにアラーム時刻となったことをアラームの鳴動以外の方法で報知することを可能とするものである。
【００１１】
請求項１に記載の発明は、予め設定した時刻になると自動的にアラームを鳴動させることが可能な通信装置であり、通信装置が特定の動作中にアラームの鳴動時刻になるとアラームの鳴動を禁止し、前記特定の動作が終了するとアラームの鳴動を禁止した状態となっていることを特徴とする。
【００１２】
請求項２に記載の発明は、予め設定した時刻になると自動的にアラームを鳴動させることが可能な通信装置であり、通信装置が特定の動作中にアラームの鳴動時刻になるとアラームの鳴動を禁止し、前記特定の動作が終了するとアラームの鳴動設定がオフの状態となっていることを特徴とする。
請求項３に記載の発明は、請求項１又は２に記載の通信装置であり、前記特定の動作が終了すると、前記特定の動作を実行していた際にアラームの鳴動時刻になった旨を表示により報知することを特徴とする。
請求項４に記載の発明は、予め設定した時刻になると自動的にアラームを鳴動させることが可能な通信装置であり、アラームの鳴動を行うアラーム鳴動手段と、制御手段と、を有し、前記制御手段は、特定の動作を実行している際にアラームの鳴動時刻になったと判定すると、前記アラーム鳴動手段によるアラームの鳴動を禁止し、前記特定の動作が終了したと判定した際に、前記アラーム鳴動手段によりアラームの鳴動を禁止した状態を維持していることを特徴とする。
請求項５に記載の発明は、予め設定した時刻になると自動的にアラームを鳴動させることが可能な通信装置であり、アラームの鳴動を行うアラーム鳴動手段と、制御手段と、を有し、前記制御手段は、特定の動作を実行している際にアラームの鳴動時刻になったと判定すると、前記アラーム鳴動手段によるアラームの鳴動を禁止し、前記特定の動作が終了したと判定した際に、前記アラーム鳴動手段によるアラーム鳴動の設定を解除するように制御することを特徴とする。
請求項６に記載の発明は、請求項４又は５に記載の通信装置であり、更に表示手段を有し、前記制御手段は、前記特定の動作が終了したと判定すると、前記特定の動作を実行していた際にアラームの鳴動時刻になった旨を表示するように前記表示手段を制御することを特徴とする。
【発明の効果】
【００１３】
請求項１及び４に記載の発明によると、通話中等の特定の動作中にアラーム鳴動時刻となってもアラームが鳴動されないため、使用者が通話中等の特定の動作中にアラームが鳴動されることにより通話等の特定の動作が妨げられることがない。又、通話終了後にアラームが鳴動されないために、例えばユーザが携帯電話を目覚まし時計として使用している場合に、無駄なアラームの鳴動を回避することが可能である。
請求項２及び５に記載の発明によると、通話中等の特定の動作中にアラーム鳴動時刻となってもアラームが鳴動されないため、使用者が通話中等の特定の動作中にアラームが鳴動されることにより通話等の特定の動作が妨げられることがない。又、通話等の特定の動作が終了されると自動的にアラームの鳴動設定が解除されるため、使用者がアラームの鳴動設定解除の操作を一々行う必要がない。
請求項３及び６に記載の発明によると、通話等の特定の動作の終了後には、アラームの鳴動時刻になった旨を示す表示を行う為、使用者は通話中等の特定の動作中にアラーム鳴動時刻であったことを知ることが可能である。
【図面の簡単な説明】
【００１４】
【図１】本発明を適用してなる一実施例装置の斜視図である。
【図２】本実施例装置のブロック図である。
【図３】本実施例装置の動作を示すフロー図である。
【発明を実施するための形態】
【００１５】
次に、本発明の一実施形態に係る通信装置について、図面を参照して説明する。なお、本実施例では、携帯電話について実施しているが、アラーム機能を有する通信装置であればこれに限定されない。
【実施例】
【００１６】
本発明を適用してなる実施例装置について以下に説明する。尚、本実施例では携帯電話装置を一例にとり、その動作を説明する。
【００１７】
次に本実施例について詳細に説明する。図１は、本実施例装置の斜視図である。図１において、携帯電話装置１は、ディスプレイ６０を搭載した第１の筐体とテンキー５１を搭載した第２の筐体とが開閉可能な構成となっている。
【００１８】
図２は、本実施例装置のブロック図を示している。図２に示すように、携帯電話装置１は、アンテナ２と接続された通信部３を備えている。この通信部３は、後述のベースバンド部４からの信号をアンテナ２を介して基地局へ発信し、あるいはアンテナ２を介して基地局からの電波を受信する。
【００１９】
また、通信部３は、ベースバンド部４と接続されている。ベースバンド部４は、ＣＤＭＡ処理回路５と、音声コーデック６と、を有している。ここで、ＣＤＭＡ処理回路５は、符号分割多元接続、スクランブル、誤り制御、タイミング検出を行う。また、音声コーデック６は、音声を圧縮（符号化）、伸張（復号化）したり、アナログとデジタルの変換を行ったり、内部の増幅回路（図示省略）により受話音量やマイクロホンの感度を変更する。尚、この通信部３やＣＤＭＡ処理回路５は電子メールの送受信機能も備えている。
【００２０】
また、ベースバンド部４には、切替回路７が接続されている。この切替回路７には、増幅回路８を介して第１スピーカ９が接続されている。この第１スピーカ９は、増幅回路８で増幅されたベースバンド部４の電気信号を音声に変換する。この第１スピーカ９は、使用者の耳にあてて通話に使用される。
【００２１】
また、切替回路７には、増幅回路１０を介してマイクロホン１１が接続されている。このマイクロホン１１は、通話に使用され、音声を電気信号に変換する。マイクロホン１１により出力された電気信号は、増幅回路１０で増幅されてベースバンド部４に出力される。
【００２２】
また、切替回路７には、増幅回路１２を介して第２スピーカ１３が接続されている。この第２スピーカ１３は、増幅回路１２で増幅されたベースバンド部４の電気信号を音声に変換する。この第２スピーカ１３は、受話音を周囲の人にも聞かせるための拡声用のスピーカである。また、第２スピーカ１３は、着信報知の鳴動やアラームの鳴動等に用いられる。
【００２３】
切替回路７は、ベースバンド部４又は制御回路１００との接続を、第１スピーカ９用の増幅回路８とマイクロホン１１用の増幅回路１０側にするか、あるいは第２スピーカ１３用の増幅回路１２とマイクロホン１１用の増幅回路１０側にするか、又は第３スピーカ１５用の増幅回路１４側にするかを切替える。
【００２４】
また、通信部３、ベースバンド部４、切替回路７には、制御回路１００がそれぞれ接続されている。この制御回路１００の制御により上述した切替回路７による切り替えが行われる。また、制御回路１００によりベースバンド部４の音声コーデック６が制御され、音声コーデック６により第１スピーカ９及び第２スピーカ１３の音量やマイクロホン１１の感度が変更される。制御回路１００は、ＲＯＭ１５と接続されており、ＲＯＭ１５に格納されているシステムプログラムに基づき各部を制御する。
フラッシュメモリ１６は、アラームの鳴動に関する情報を格納する。例えば、アラーム鳴動オンオフの情報（アラームを鳴動するかしないかの情報であり、アラーム鳴動オンであれば設定した時刻になるとアラームを鳴動し、アラーム鳴動オフであれば設定した時刻になってもアラームを鳴動しない）と、アラーム鳴動オンオフの情報がオンと設定されている時のアラーム鳴動時刻の情報（例えば、１０時１０分）、そして携帯電話の特定の動作（例えば、通話やインターネット操作）が終了した際にアラームの鳴動を禁止するか否かのフラグを格納する。尚、このフラグに関しては、後述する図３のフローチャートにおける動作説明のステップ０２においても説明する。
【００２５】
制御回路１００には、入力部５０が接続されている。この入力部５０は、電話番号や文字の入力を行う為のテンキー５１と、通話の開始を操作する通話キー５２と、通話の終了を操作する切キー５３と、各種機能の設定を行う機能キー５４と、電源キー５５と、カーソルを移動させるための十字キー５６と、決定キー５７と、を有している。また、制御回路１００には、ディスプレイ６０のバックライトである照明部６１が接続されている。又、制御回路１００は、現在時刻を計時する機能も有している。
次に本実施例装置の動作について説明する。図３は本実施例装置の動作を示すフロー図である。
尚、図３のＳ０１ステップを実行する前に、使用者が通信装置の特定の動作（例えば、通話）を実行している状態であるとする。なお、この特定の動作とは通話に限らず、例えばインターネットの操作やメールの作成、送受信操作、或いは音楽の再生操作等でも良い。又、アラーム鳴動オンオフの情報がオンとなっているとする。
図３のＳ０１ステップにおいて、制御回路１００は、フラッシュメモリ１６に格納されているアラーム鳴動オンオフの情報がオンであり、且つフラッシュメモリ１６に格納されているアラームの鳴動時刻（例えば１０時１０分）の時刻になったと判定すると、Ｓ０２ステップへ処理を進める。尚、制御回路１００は、フラッシュメモリ１６に格納されているアラームの鳴動時刻と制御回路１００自身が計時している現在時刻とを比較することにより、アラームの鳴動時刻となったか否かを判定できる。一方、アラームの鳴動時刻になっていなければ、Ｓ０３ステップへ処理を進める。
続くＳ０２ステップにおいて、制御回路１００は、スピーカ１３からのアラームの鳴動を禁止すると共に、フラッシュメモリに格納されているフラグをオンにし、Ｓ０３ステップへ処理を進める。
Ｓ０３ステップにおいて、制御回路１００は、通信部３から相手先が回線を断としたことを示す信号を検出するか、入力部５０の切キー５３が操作されたと判定すると、通話が終了したと判定し、Ｓ０４ステップへ処理を進め、そうでなければ、Ｓ０１ステップへ処理を戻す。尚、Ｓ０３ステップでＮとなり、続いてＳ０１ステップでＹとなった後は、Ｓ０２ステップでは、再度フラグオンとしなくとも良い（既にフラグオンとなっている為）。
Ｓ０４ステップにおいて、制御回路１００は、フラッシュメモリ１６に格納されているフラグがオンになっている（即ち、Ｓ０２ステップの処理を経過してフラグをオンした）と判定すると、Ｓ０５ステップへ処理を進め、そうでなければ処理を終了し、通常の待機状態となる。
Ｓ０５ステップにおいて、制御回路１００は、ディスプレイ１００に、アラーム設定時刻になったことを示す表示を行う。例えば、ディスプレイ１００の中央に「通話中にアラーム設定時刻（１０時１０分）となりました。」という文字を表示し、ユーザに通話中にアラーム設定時刻になった旨を報知する。尚、この文字はディスプレイ１００の中央に限らず、ディスプレイ１００の４隅のいずれかに表示してもよいし、特定のアイコンを表示することにより、ユーザに、通話中にアラーム設定時刻になった旨を報知する構成としても良い。
続くＳ０６ステップでは、制御回路１００は、フラッシュメモリ１６に格納されているアラーム鳴動オンオフの情報をオフにする、即ち、アラームの鳴動時刻になってもアラームを鳴動しない状態にする。勿論、アラームの鳴動時刻の設定そのものがなされていない場合でもアラームを鳴動しない。
続くＳ０７ステップでは、制御回路１００は、入力部５０のいずれかのキーの操作があると判定すると、Ｓ０８ステップへ処理を進める。
Ｓ０８ステップでは、制御回路１００は、Ｓ０５ステップにおける、通話中にアラーム設定時刻になった旨の表示を解除し、処理を終了する。
このように、本実施例装置では、通話中等の動作中にアラーム鳴動時刻となってもアラームが鳴動されないため、使用者が通話中（等の動作中）にアラームが鳴動されることにより通話（等の動作）が妨げられることがない。
又、通話終了後にアラームが鳴動されないために、例えばユーザが携帯電話を目覚まし時計として使用している場合に、無駄なアラームの鳴動を回避することが可能である。
又、通話終了後には自動的にアラームの鳴動設定が解除されるため、使用者がアラームの鳴動設定解除を一々行う必要がない。
又、通話終了後には、使用者が所定の操作を行うまで、特定の動作中にアラームの鳴動時刻になった旨を示す表示を行う為、使用者は通話中（等の特定の動作中）にアラーム鳴動時刻であったことを知ることが可能である。
尚、本実施例では特定の動作（例えば通話）が終了すると、アラーム鳴動時刻となったことを示す表示を行う構成としたが、特定の動作を実行中にアラーム鳴動時刻になると、アラーム鳴動時刻となったことを示す表示を行い、所定の操作が施されるまでこの表示を継続する構成としても良い。
【符号の説明】
【００２６】
３        通信部
４        ベースバンド部
７        切替回路
１３      第２スピーカ
１６      フラッシュメモリ
５０      入力部
１００    制御回路
【図１】
2011091526.tif 000003
【図２】
2011091526.tif 000004
【図３】
2011091526.tif 000005